(57)【要約】      （修正有）【課題】免許証を返納したとしても免許証を保持していたことも証明することができる身分証明証を提供する。【解決手段】金属又はセラミックスからなる基台２でできた身分証明書１であって、本人確認用の顔写真３と、名前等の個人情報４と、公的機関が発行したことを証明する証明部６とが少なくとも設けられている。又、顔写真３は、金属用彫刻機により彫刻されている。又、個人情報４であって、名前及び住所以外の個人情報は、ＱＲコード（登録商標）５により掲載されている。又、身分証明書１には運転免許証の返納者であることを表示する表示部が設けられている。【選択図】図１
0003211736.tif 000002
【実用新案登録請求の範囲】
【請求項１】
金属又はセラミックスからなる基台でできた身分証明書であって、本人確認用の顔写真と、名前等の個人情報と、公的機関が発行したことを証明する証明部とが少なくとも設けられていることを特徴とする身分証明書。
【請求項２】
前記顔写真は、金属用彫刻機により彫刻されている請求項１に記載の身分証明書。
【請求項３】
前記個人情報であって、名前及び住所以外の個人情報は、ＱＲコードにより掲載されている請求項１及び請求項２のいずれか１項に記載の身分証明書。
【請求項４】
前記身分証明書には免許証の返納者であることを表示する表示部が設けられている請求項１乃至請求項３のいずれか１項に記載の身分証明書。
【考案の詳細な説明】
【技術分野】
【０００１】  本考案は、本人確認用の顔写真が設けられている身分証明書に関するものである。
【背景技術】
【０００２】  従来より、公的機関、銀行や電話の購入店などにおいて、本人確認として顔写真が入った免許証やパスポートの提示を要求されるが、高齢となって運転免許証を返納された元免許証保持者や、海外に行かない未パスポート保持者のように、免許証もパスポートも保持されていない方にとって、本人確認は時間がかかり大変煩わしいものである。
特許文献１に示す住民基本台帳カードは、顔写真も入れることは可能ではあったが、暗証番号とセットで実印の代用としても使用可能なものであり、セキュリティの面で持ち歩きができないものであった。
【先行技術文献】
【特許文献】
【０００３】
【特許文献１】特開２０１４−０９２９５１号公報
【考案の概要】
【考案が解決しようとする課題】
【０００４】  本考案は、上記従来の課題を解決するためになされたものであり、免許証を返納したとしても免許証を保持していたことも証明することができる証明証を提供することにある。
【課題を解決するための手段】
【０００５】  上記課題を解決するため、本考案の証明証は、金属又はセラミックスからなる基台でできた身分証明書であって、本人確認用の顔写真と、名前等の個人情報と、公的機関が発行したことを証明する証明部とが少なくとも設けられていることを特徴とする。
又、本考案にあっては、前記顔写真は、金属用彫刻機により彫刻されていることが望ましい。
又、本考案にあっては、前記個人情報であって、名前及び住所以外の個人情報は、ＱＲコードにより掲載されていることが望ましい。
又、本考案にあっては、前記身分証明書には運転免許証の返納者であることを表示する表示部が設けられていることが望ましい。
【考案の効果】
【０００６】  本考案の証明証は、金属又はセラミックスからなる基台でできた身分証明書であって、本人確認用の顔写真と、名前等の個人情報と、公的機関が発行したことを証明する証明部とが少なくとも設けられていることを特徴とするものであるから、免許証及びパスポートも保持していなくても運転免許証と同等に身分を証明することができ、本人確認が簡単にできるという効果がある。
又、請求項２のように、前記顔写真は、金属用彫刻機により彫刻されているものは、希望のデーターを加工先に送付することで彫刻ができるとともに、破損しないという効果がある。
又、請求項３のように、前記個人情報であって、名前及び住所以外の個人情報は、ＱＲコードにより掲載されているものは、ＱＲコードに傷が付かないとともに、不要なときはＱＲコードを隠すことが出来、不用意にＱＲコードの内容を読み取られることがないという効果がある。
又、請求項４のように、前記身分証明書には運転免許証の返納者であることを表示する表示部が設けられているものは、運転免許証を保持していたことを相手に伝えることが可能であるという効果がある。
【図面の簡単な説明】
【０００７】
【図１】図１は、本考案の身分証明書の平面図。
【考案を実施するための形態】
【０００８】  以下、本考案の実施の形態を図１に基づいて詳述すると、身分証明書１は、金属からなる基台２に金属用彫刻機による本人確認用の顔写真３と、金属用彫刻機による名前等の個人情報４と、金属用彫刻機による名前及び住所以外の個人情報が掲載されたＱＲコード５と、金属用彫刻機による公的機関が発行したことを証明する証明部６と、金属用彫刻機による世界的救急救命のシンボルマークであるスターオブライト７が設けられている。
【０００９】  基台２をチタン鋼で形成し、ファイバーレーザー加工機を用いて顔写真３、名前等の個人情報４、ＱＲコード５、証明部６、スターオブライト７を彫刻したものは、ファイバーレーザー加工機とチタン鋼との相性が良く、ファイバーレーザー加工機で彫刻したチタン鋼の箇所が黒くなるものであり、この黒くなった箇所を名前等の個人情報４、ＱＲコード５、証明部６、スターオブライト７として使用すれば良い。チタン鋼は、海水、水、温泉、火事などに対しても強い材料であるとともに、肌に優しい材料であり、基台２の材料として望ましい。ファイバーレーザー加工機で彫刻したものは、針で彫った後、インクを塗ったものに比し、薬品や熱に対しても強く、汗などによりインクが剥がれないものであり、ＱＲコード５を読み取る必要があるときに読み取ることができるものである。尚、チタン鋼以外にアルミニウム等も選択可能であるが、この場合は、インクを塗る必要があり、剥がれるおそれがある。
【００１０】  基台２は、運転免許書と同一の大きさに形成されており、厚みは２ミリメートルに設定されている。基台２は、ブラスト研磨とブラスト研磨に比し光沢のあるバレル研磨とを選択することができる。
【００１１】  顔写真３は、希望のデーターを加工先に送付することで彫刻ができるものであり、身分証明書１を所有している者が本当の所有者であることの確認を行うことができ、例え、本人と異なった者が何らかの原因により所有していたとしても、本人と異なったＱＲコードの情報が伝わることが無く、再度の検査を必要とするが、正しい情報に基づいて治療がなされ、医療事故を起こすことが無いものである。
【００１２】  個人情報４は、名前と住所とで構成されているが、住所はＱＲコード５化しても構わないものである。
【００１３】  ＱＲコード５は、連絡先の電話番号が少なくとも含まれており、１件目の電話番号に応答が無い場合を考慮して緊急連絡先（２名以上）、血液型、既往症、身体的特徴（怪我・ほくろなど）、その他のＱＲコード５として残しておきたい住所・個人情報などの情報が入力されており、携帯電話のカメラ等で読み取ることができるようになっている。ＱＲコード５は、購入者の希望に合わせて加工することができるようになっている。
【００１３】  ＱＲコード５を携帯電話で読むと、携帯電話に表示された緊急連絡先の電話番号及び携帯電話番号は、携帯電話に表示されたものに触れることで発信され、３０秒で相手先に着信できるものである。
【００１４】  証明部６は、証明書として認められる機関名が記載されているものであって、市役所名と住所と公印とで構成されている。
【００１５】  身分証明書１には免許証の返納者であることを表示する表示部が設けられていても構わないものであり、免許の取得内容が掲載されていても構わないものである。
【００１６】  ファイバーレーザー加工機は、出願人が販売しているワードファイバーレーザー（一本彫刻機、２５本金属自動機彫刻機）が微細な彫刻が可能でるとともに、彫刻の劣化及び消滅しないものであり、望ましいものである。ファイバーレーザー加工機により彫刻する彫刻工程には彫刻するベースを白くする工程が前工程として含まれている。この工程は、パワーとスピードとを最適値に設定し、縦と横に２回ずつ走査させることで完了し、パワーとスピードとを最適値に設定し、連続してＱＲコード５等の彫刻を行えば良いものである。レーザー加工機としてファイバーレーザー加工機以外に一般のレーザー加工機、ＣＯ２レーザー加工機、ヤグレーザー加工機があるが、ＱＲコード５等の彫刻にはファイバーレーザー加工機が適している。
【００１７】  基台２の実施例として金属以外のものとして、ファインセラミックスがあり、ファイバーレーザー加工機で顔写真３、名前等の個人情報４、ＱＲコード５、証明部６、スターオブライト７等購入者が希望されるものが彫刻される。
【００１８】  身分証明書１の使用者は、人、特に、痴呆症の方、老人、子供、運転手、パイロットのように、あらゆる事故、人災、災害合われた方の本人確認にも使用可能なものである。
【００１９】  「厚生労働省によると、行方不明になられた認知症の高齢者は、平成２５年の１年間で５２００人。認知症で行方不明の届け出が平成２４年に９６００人。また、認知症は高齢者の４人に１人であり、今後激増する傾向にあり、認知症４００万人、認知症予備軍４００万人。」（平成２６年１１月５日産経デジタルの記事引用）と言われており、本考案の身分証明書１を身に着けることで行方不明者の早期発見と減少が望まれる。
【符号の説明】
【００２０】１    身分証明書
２    基台
３    顔写真
４    個人情報
５    ＱＲコード
６    証明部
【図１】
0003211736.tif 000003